(57)【要約】【課題】パッシブ方式の３次元画像表示に係るパターン位相差フィルム等の光学フィルムに関して、マスクを使用した露光処理の繰り返しにより光配向膜を作製する場合でも、高い外観品質により作成できるようにすることができる。【解決手段】第１の領域に対応する複数のスリットＳを有する第１のマスク１６Ａを使用して光配向材料膜を露光処理する第１の露光工程と、第２の領域に対応する複数のスリットＳを有する第２のマスク１６Ｂを使用して光配向材料膜を露光処理する第２の露光工程とを備えるようにする。第１のマスク１６Ａのスリットを通した光で露光されるエリアと第２のマスク１６Ｂのスリットを通した光で露光されるエリアが部分的に重なるように設定される。【選択図】図６
2014219596.tif 000002
【特許請求の範囲】
【請求項１】
透明フィルム材による基材上に、配向膜、位相差層が順次設けられ、前記位相差層に透過光に与える位相差が異なる第１及び第２の領域が順次交互に設けられる光学フィルムの製造方法において、
前記基材上に光配向材料膜を作製する光配向材料膜作製工程と、
前記光配向材料膜を露光処理して光配向膜による前記配向膜を作製する配向膜作製工程と、
前記配向膜の上に前記位相差層を作製する位相差層作製工程とを備え、
前記配向膜作製工程は、
前記第１の領域に対応する複数のスリットを有する第１のマスクを使用して前記光配向材料膜を露光処理する第１の露光工程と、
前記第２の領域に対応する複数のスリットを有する第２のマスクを使用して前記光配向材料膜を露光処理する第２の露光工程とを備え、
前記第１のマスクのスリットを通した光で露光されるエリアと第２のマスクのスリットを通した光で露光されるエリアが部分的に重なるように設定された
光学フィルムの製造方法。
【請求項２】
前記第１のマスクと、前記第２のマスクとは、スリット幅が異なる
請求項１に記載の光学フィルムの製造方法。
【請求項３】
前記基材がロールにより提供され、
前記配向膜作製工程は、
前記基材を搬送しながら順次前記配向膜を作製し、
前記第１及び第２のマスクが、
前記第１及び第２のマスクで共通する部材に作製された
請求項１又は請求項２に記載の光学フィルムの製造方法。
【発明の詳細な説明】
【技術分野】
【０００１】
本発明は、パッシブ方式による３次元画像表示に適用するパターン位相差フィルムであって、光配向の手法により配向膜を作製する場合の製造方法に関するものである。
【背景技術】
【０００２】
近年、３次元表示可能なフラットパネルディスプレイが提供されている。ここでフラットパネルディスプレイにおいて３次元表示をするには、通常、何らかの方式で右目用の画像と、左目用の画像とを、それぞれ選択的に視聴者の右目及び左目に提供することが必要である。右目用の画像と左目用の画像とを選択的に提供する方法としては、例えば、パッシブ方式が知られている。このパッシブ方式の３次元表示方式について図を参照しながら説明する。図８は、液晶表示パネルを使用したパッシブ方式の３次元表示の一例を示す概略図である。この図８の例では、液晶表示パネルの垂直方向に連続する画素を、順次交互に、右目用の画像を表示する右目用画素、左目用の画像を表示する左目用画素に振り分け、それぞれ右目用及び左目用の画像データで駆動し、これにより右目用の画像と左目用の画像とを同時に表示する。なおこれにより液晶表示パネルの画面は、例えば短辺が垂直方向で長辺が水平方向となる帯状の領域により、右目用の画像を表示する領域と左目用の画像を表示する領域とに交互に区分されることになる。
【０００３】
さらにパッシブ方式では、液晶表示パネルのパネル面にパターン位相差フィルムを配置し、右目用及び左目用の画素からの直線偏光による出射光を、右目用及び左目用で回転方向の異なる円偏光に変換する。このためパターン位相差フィルムは、液晶表示パネルにおける領域の設定に対応して、遅相軸方向（屈折率が最大となる方向）が直交する２種類の帯状領域が順次交互に形成される。これによりパッシブ方式では、対応する偏光フィルタを備えてなる眼鏡を装着して、右目用の画像と左目用の画像とをそれぞれ選択的に視聴者の右目及び左目に提供する。なおここでこの隣接する帯状領域の遅相軸方向は、通常、水平方向に対して、＋４５度と−４５度、又は０度と＋９０度の組み合わせが採用される。なおこの図８の例では、通常の画像表示装置における呼称に習って画面の長辺方向を水平方向として示す。
【０００４】
このパッシブ方式は、応答速度の遅い液晶表示装置でも適用することができ、さらにパターン位相差フィルムと円偏光メガネとを用いた簡易な構成で３次元表示することができる。
【０００５】
このパッシブ方式に係るパターン位相差フィルムは、画素の割り当てに対応して透過光に位相差を与えるパターン状の位相差層が必要である。このパターン位相差フィルムに関して、特許文献１には、配向規制力を制御した光配向膜をガラス基板上に形成し、この光配向膜により液晶の配列をパターンニングして位相差層を作成する方法が開示されている。また特許文献２には、全面を露光処理した後、マスクを使用して露光処理することにより光配向膜を作製し、この光配向膜の配向規制力により液晶層を配向させて硬化させることにより、パターン位相差フィルムを作製する方法が開示されている。
【０００６】
ところで全面を露光処理した後、マスクを使用して露光処理することにより光配向膜を作製する場合には、全面の露光処理により特定の方向に配向した光配向膜材料を、マスクを使用した露光処理により局所的に配向し直すことが必要である。これによりマスクを使用した露光処理において、過大な光量（例えば全面を露光する場合の２倍から３倍程度の光量）を照射することが必要になる。
なお、光配向膜材料によっては第１露光においてマスクを用いて露光した後、第２露光で全面を露光する方式をとる場合もある。この場合、第１露光側を過大な光量で露光し、第２露光で書き換えが起こらないようにする必要がある。
因みにこのように過大な光量を照射する場合には、光源の構成が大規模化し、また照射対象の熱ストレスも過大になる。
【０００７】
このためマスクを使用した露光処理の繰り返しにより配向膜を作製することが望まれる。またパターン位相差フィルムにおいては、このようにマスクを使用した露光処理の繰り返しにより配向膜を作製する場合にあっても、高い外観品質により作製することが求められる。
【先行技術文献】
【特許文献】
【０００８】
【特許文献１】特開２００５−４９８６５号公報
【特許文献２】特開２０１２−０４２５３０号公報
【発明の概要】
【発明が解決しようとする課題】
【０００９】
本発明はこのような状況に鑑みてなされたものであり、パッシブ方式の３次元画像表示に係るパターン位相差フィルム等の光学フィルムに関して、マスクを使用した露光処理の繰り返しにより光配向膜を作製する場合でも、高い品質により作成できるようにすることを目的とする。
【課題を解決するための手段】
【００１０】
本発明者は、上記課題を解決するために鋭意研究を重ね、繰り返しの露光処理に供するマスクにおいて、スリット幅方向端部で２つのマスクに係るスリットが重なり合うように、スリット幅を幅広に作製するとの知見を得、本発明を完成するに至った。
【００１１】
具体的には、本発明では、以下のようなものを提供する。
【００１２】
（１）  透明フィルム材による基材上に、配向膜、位相差層が順次設けられ、前記位相差層に透過光に与える位相差が異なる第１及び第２の領域が順次交互に設けられる光学フィルムの製造方法において、
前記基材上に光配向材料膜を作製する光配向材料膜作製工程と、
前記光配向材料膜を露光処理して光配向膜による前記配向膜を作製する配向膜作製工程と、
前記配向膜の上に前記位相差層を作製する位相差層作製工程とを備え、
前記配向膜作製工程は、
前記第１の領域に対応する複数のスリットを有する第１のマスクを使用して前記光配向材料膜を露光処理する第１の露光工程と、
前記第２の領域に対応する複数のスリットを有する第２のマスクを使用して前記光配向材料膜を露光処理する第２の露光工程とを備え、
前記第１のマスクのスリットを通した光で露光されるエリアと第２のマスクのスリットを通した光で露光されるエリアが部分的に重なるように設定された。
【００１３】
（１）によれば、マスクの位置合わせがばらつく場合でも、未配向領域の発生を防止することができ、これにより高い外観品質を確保することができる。
【００１４】
（２）  （１）において、
前記第１のマスクと、前記第２のマスクとは、スリット幅が異なる。
【００１５】
（２）によれば、配向膜に係る材料の特性に応じて、第１又は第２のマスクのスリット幅を幅狭に作製して、第１及び第２の領域幅を等しい幅に設定することができる。
【００１６】
（３）  （１)又は（２）において、
前記基材がロールにより提供され、
前記配向膜作製工程は、
前記基材を搬送しながら順次前記配向膜を作製し、
前記第１及び第２のマスクが、
前記第１及び第２のマスクで共通する部材に作製された。
【００１７】
（３）によれば、第１及び第２のマスクにおける熱変形を等しくすることができ、精度良く光学フィルムを作製することができる。
【発明の効果】
【００１８】
本発明によれば、パッシブ方式の３次元画像表示に係るパターン位相差フィルム等の光学フィルムに関して、マスクを使用した露光処理の繰り返しにより光配向膜を作製する場合でも、高い外観品質により作成できるようにすることができる。
【図面の簡単な説明】
【００１９】
【図１】本発明の第１実施形態に係るパターン位相差フィルムを示す図である。
【図２】図１のパターン位相差フィルムの製造工程を示す図である。
【図３】繰り返しの露光工程の説明に供する図である。
【図４】露光工程の説明に供する図である。
【図５】マスクの説明に供する図である。
【図６】マスクの重ね合わせの説明に供する図である。
【図７】本発明の第２実施形態に係る製造工程の説明に供する図である。
【図８】パターン位相差フィルムの説明に供する図である。
【発明を実施するための形態】
【００２０】
以下、本発明の実施形態について図面を参照しながら説明する。
【００２１】
〔第１実施形態〕
図１は、本発明の第１実施形態に係る画像表示装置に適用されるパターン位相差フィルムを示す図である。この第１実施形態に係る画像表示装置は、垂直方向（図１においては左右方向が対応する方向である）に連続する液晶表示パネルの画素が、順次交互に、右目用の画像を表示する右目用画素、左目用の画像を表示する左目用画素に振り分けられて、それぞれ右目用及び左目用の画像データで駆動される。これにより画像表示装置は、右目用の画像を表示する帯状の領域と、左目用の画像を表示する帯状の領域とに表示画面が交互に区分され、右目用の画像と左目用の画像とを同時に表示する。この画像表示装置は、この液晶表示パネルのパネル面（視聴者側面）に、パターン位相差フィルム１が配置され、このパターン位相差フィルム１により右目用及び左目用の画素からの出射光にそれぞれ対応する位相差を与える。これによりこの画像表示装置は、パッシブ方式により所望の立体画像を表示する。
【００２２】
ここでパターン位相差フィルム１は、ＴＡＣ（トリアセチルセルロース）、アクリル、ＣＯＰ等の透明フィルムからなる基材２の一方の面上に、配向膜３、位相差層４が順次作製される。パターン位相差フィルム１は、屈折率異方性を保持した状態で固化（硬化）された液晶材料により位相差層４が形成され、この液晶材料の配向を配向膜３の配向規制力によりパターンニングする。なおこの液晶分子の配向を図１では細長い楕円により誇張して示す。このパターンニングにより、パターン位相差フィルム１は、液晶表示パネルにおける画素の割り当てに対応して、一定の幅により、右目用の領域（第１の領域）Ａと左目用の領域（第２の領域）Ｂとが順次交互に帯状に形成され、右目用及び左目用の画素からの出射光にそれぞれ対応する位相差を与える。
【００２３】
パターン位相差フィルム１は、光配向材料により光配向材料膜が作製された後、いわゆる光配向の手法によりこの光配向材料膜に直線偏光による紫外線を照射し、これにより光配向膜により配向膜３が形成される。ここでこの光配向材料膜に照射する紫外線は、その偏光の方向が右目用の領域Ａと左目用の領域Ｂとで９０度異なるように設定され、これにより位相差層４に設けられる液晶材料に関して、右目用の領域Ａ及び左目用の領域Ｂとで対応する向きに液晶分子を配向させ、透過光に対応する位相差を与える。なお光配向材料は、光配向の手法を適用可能な各種の材料を適用することができる。
【００２４】
図２は、このパターン位相差フィルム１の製造工程を示すフローチャートである。パターン位相差フィルム１の製造工程は、ロールに巻き取った長尺フィルムにより基材２が提供され、この基材２をロールより送り出して光配向材料膜が順次作製される（ステップＳＰ１−ＳＰ２）。ここで光配向材料膜は、各種の製造方法を適用することができるものの、この実施の形態では、光配向材料をベンゼン等の溶媒に分散させた成膜用液体をダイ等により塗布した後、乾燥して作製される。
【００２５】
続いてこの製造工程は、露光工程により紫外線を照射して光配向膜が作製される（ステップＳＰ３）。続いてこの製造工程は、位相差層作製工程において、ダイ等により液晶材料を塗布した後、紫外線の照射によりこの液晶材料を硬化させ、位相差層４が作製される（ステップＳＰ４）。続いてこの製造工程は、必要に応じて反射防止膜の作製処理等を実行した後、切断工程において、所望の大きさに切り出してパターン位相差フィルム１が作製される（ステップＳＰ５−ＳＰ６）。
【００２６】
図３は、この露光工程の詳細を示す図である。この製造工程は、右目用の領域Ａ又は光目用の領域Ｂに対応する部位を遮光したマスク１６Ａを介して、直線偏光による紫外線（偏光紫外線）を照射することにより、遮光されていない側の、左目用の領域Ｂ又は右目用の領域Ａについて、光配向材料膜を所望の方向に配向させる（図３（Ａ））。これによりこの製造工程は、１回目の露光処理を実行する。続いてこの製造工程は、１回目の露光処理とは逆に、左目用領域Ｂ又は右目用領域Ａに対応する部位を遮光したマスク１６Ｂを介して、１回目の露光処理とは偏光方向が９０度異なる直線偏光により、右目用領域Ａ又は左目用領域Ｂを露光処理し、右目用の領域Ａ又は光目用の領域Ｂについて、光配向材料膜を所望の方向に配向させる（図４（Ｂ））。これによりこの製造工程では、それぞれマスクを使用した２回の露光処理により、右目用の領域Ａと左目用の領域Ｂとを順次露光処理して配向膜３を作製する。これらによりこの実施形態では、マスクを使用した２回の露光処理により配向膜３を作製する。
【００２７】
図４は、１回目のマスクを使用した露光処理に供する設備を示す図である。この製造工程では、大径のロール１７に巻き付けて基材２を搬送するようにして、このロール１７に対向するように１回目の露光処理に供するマスク１６Ａが配置され、直線偏光による紫外線がマスク１６Ａを介して照射される。またマスク１６Ａは、基材２の搬送方向に延長するスリットＳが、延長方向と直交する方向に一定のピッチにより繰り返し形成され、このスリットＳを介して基材２に紫外線を照射する。これに対して２回目の露光処理は、１回目のマスク１６Ａに代えて、２回目の露光処理に供するマスク１６Ｂが配置されて露光処理する点を除いて、この１回目の露光処理と同一に構成される。
【００２８】
これによりこの製造工程では、マスクを使用した２回の露光処理により、全面の露光処理に係る過大な光量による露光処理を実行することなく、配向膜３を作製する。しかしながらこのようなマスクを使用した露光処理の繰り返しにより配向膜３を作製する場合、マスクの位置決め精度、マスクの熱膨張等により、１回目の露光処理に対して２回目の露光処理を完全に位置合わせして実行し得ない。これにより２回の露光処理において、未露光の領域が発生する恐れがある。
【００２９】
すなわち図５に示すように、１回目の露光処理に供するマスク１６Ａと２回目の露光処理に供するマスク１６Ｂとで、スリットＳが重なり合わないように、またスリットＳ間の遮光領域が重なり合わないようにして露光するものとする。なおこの場合、１回目の露光処理に供するマスク１６Ａにおいて、スリットＳ間の遮光部の幅ＷＢＡは、２回目の露光処理に供するマスク１６ＢにおけるスリットＳの幅ＷＢと等しく、また１回目及び２回目の露光に係るスリットＳの幅ＷＡ及びＷＢは等しい。この場合、２つのマスク１６Ａ、１６Ｂが位置ずれなく位置決めされ、さらにマスクに熱膨張等が発生していない場合、配向膜３は、１回の露光処理で露光された領域、２回目の露光処理で露光された領域が密接して交互に作製されることになる。
【００３０】
しかしながら２回の露光処理で完全にはマスクを位置合わせできないこと等により、光配向材料膜にあっては、（１）１回目の露光処理によってのみ露光処理される領域、（２）２回目の露光処理によってのみ露光処理される領域、（３）１回目及び２回目の露光処理の双方で露光処理される領域、（４）１回目及び２回目の露光処理の双方で露光されない領域が発生する。
【００３１】
これら４つの領域のうち、１回目の露光処理によってのみ露光処理される領域、２回目の露光処理によってのみ露光処理される領域は、それぞれ光配向材料膜が対応する方向に配向することになる。また１回目及び２回目の露光処理の双方で露光処理される領域は、光配向材料膜の構成材料、１回目、２回目の露光処理で照射された光量に応じて、１回目の露光処理に係る配向方向、又は２回目の露光処理に係る配向方向の何れかに設定されることになる。従ってこれらの領域に係る位相差層４にあっては、右目用領域Ａ又は左目用領域Ｂに係る位相差を液晶表示パネルからの出射光に付与することになる。
【００３２】
これに対して１回目及び２回目の露光処理の双方で露光されない領域については、光配向膜３が何ら配向規制力を生じ得ず、これにより位相差層４の対応する部位にあっては、液晶材料を塗布したままの、未配向の状態に保持されることになる。これによりパターン位相差フィルム１において、未配向の領域が右目用領域Ａ及び左目用領域Ｂの間に形成されることになり、この未配向の領域幅が大きくなると、著しく外観品質が劣化することになる。
【００３３】
そこでこの実施形態では、図５との対比により図６に示すように、繰り返しの露光処理に供するマスク１６Ａ、１６Ｂにおいて、幅方向端部でスリットが重なり合うように、スリット幅を幅広に作製する。なおこの図６においては、この重なり合う部位を符号ＳＷにより示す。より具体的に、１回目の露光処理に係るマスク１６ＡのスリットＳ間における遮光部の幅ＷＢＡに比して、２回目の露光処理に係るマスク１６ＢのスリットＳの幅ＷＢを幅広に作製する。これにより１回目及び２回目の露光処理に供するマスク１６Ａ、１６Ｂを重ね合わせた場合に、右目用領域Ａ及び左目用領域Ｂの境界部分ではスリット状に遮光されない領域が発生することになる。これによりこの実施形態では、２回の露光処理の双方で共に露光処理される領域が発生するように、マスク１６Ａ及び１６Ｂのスリット幅を幅広に作製する。
【００３４】
これによりこの実施形態では、マスク１６Ａ、１６Ｂの位置決めがばらつく場合、マスクが熱膨張する場合等にあっても、未配向領域の発生を低減することができ、これによりマスクを使用した露光処理の繰り返しにより光配向膜を作製する場合に、高い外観品質によりパターン位相差フィルムを作製することができる。
【００３５】
さらにこの実施形態において、１回目の露光処理に供するマスク１６Ａと２回目の露光処理に供するマスク１６Ｂは、スリット幅ＷＡ及びＷＢが異なる寸法により作製される。ここでこの種の露光処理に供する露光装置では、露光に供する光を完全には平行光線に設定し得ず、ある程度広がりを有する発散光により露光に供する光を供給することになる。また長尺フィルムの連続した処理により露光処理する場合、マスクと光配向材料膜との間に間隔を設けることが必要である。これによりパターン位相差フィルムでは、スリット幅に比して、幅広の領域が露光されることになる。
【００３６】
これに対して光配向材料にあっては、種々の特性の材料が提供されており、例えば２量化型の材料にあっては、一旦配向した後には、紫外線の照射によって配向が変化しない材料である。因みに、この光２量化型の材料については、「M.Schadt,  K.Schmitt,  V.  Kozinkov  and  V.  Chigrinov  :  Jpn.  J.  Appl.Phys.,  31,  2155  (1992)」、「M.  Schadt,  H.  Seiberle  and  A.  Schuster  :  Nature,  381,  212  (1996)」等に開示されており、例えば「ROP-103」の商品名により既に市販されている。このような一旦配向した後には、紫外線の照射によって配向が変化しない材料により光配向材料膜を作製する場合、１回目の露光処理により露光された領域幅と、未露光の領域幅とが、パターン位相差フィルム１における連続する第１及び第２の領域幅となる。これによりこの実施形態では、この場合、１回目の露光処理に供するマスク１６Ａのスリット幅ＷＡを、１回目の露光処理に供する領域Ａ又はＢの領域幅に比して、幅狭に設定し、これにより１回目の露光処理で露光する領域幅が、１回目の露光処理に供する領域Ａ又はＢの領域幅となるように設定する。
【００３７】
またこのようにしてスリット幅ＷＡを設定して残る、１回目のスリットＳ間の遮光部の幅ＷＢＡに対して、重なり合わせる部位の幅２ＳＷを加算した幅ＷＢＡ＋２ＳＷを、２回目の露光処理に供するスリット幅ＷＢに設定する。
【００３８】
これに対して光配向材料膜の材料には、繰り返しの露光処理により配向方向がその都度変化する材料も存在する。なおこのような材料は、例えば「W.M.  Gibbons,  P.J.Shannon,  S.T.  Sun  and  B.J.  Swetlin  :  Nature,  351,  49  (1991)」で報告されている。
【００３９】
この材料の場合、２回目の露光処理により露光された領域幅と、未露光の領域幅とが、パターン位相差フィルム１における連続する第１及び第２の領域幅となる。これによりこの実施形態では、この場合、２回目の露光処理に供するマスク１６Ｂのスリット幅ＷＢを、２回目の露光処理に供する領域Ｂ又はＡの領域幅に比して、幅狭に設定し、これにより２回目の露光処理で露光する領域幅が、２回目の露光処理に供する領域Ｂ又はＡの領域幅となるように設定する。
【００４０】
またこのようにしてスリット幅ＷＢを設定して残る、２回目のスリットＳ間の遮光部の幅ＷＢＢに対して、重なり合わせる部位の幅２ＳＷを加算した幅ＷＢＢ＋２ＳＷを、１回目の露光処理に供するスリット幅ＷＡに設定する。
【００４１】
なお上述の説明では、単純に、１回目及び２回目の露光処理に係る光配向材料膜を、露光される領域と露光されない領域とに区分して説明した。しかしながら実際の露光処理では、スリットＳの端部より遮光部側に向かうに従って徐々に露光に係る光量が減少し、光配向材料膜に適用する材料の感度等の特性によって、露光される領域と露光されない領域とが変化することになる。また特に露光の都度配向する材料による場合には、２回目の露光時における光量だけでなく、１回目の露光時における光量によっても、露光される領域と露光されない領域とが変化することになる。これにより上述した露光に供する部位の幅に対して、スリット幅を幅狭に作製する程度にあっては、光配向材料膜に適用する材料の特性に応じて適宜設定される。
【００４２】
以上の構成によれば、１回目の露光処理に係るマスクのスリット間の遮光部の幅に比して、２回目の露光処理に係るマスクのスリット幅を幅広に作製することにより、繰り返しの露光処理に供するマスクにおいて、幅方向端部で２つのマスクに係るスリットが重なり合うようにし、これによりマスクを使用した露光処理の繰り返しにより光配向膜を作製する場合でも、高い品質により作製することができる。
【００４３】
具体的に、以下の条件によりパターン位相差フィルムを作製してこのような未配向領域を実用上充分に見て取ることができないようにすることができた。ここで光配向材料膜は、光配向材料の１％溶液を基材２に塗布した後、１００℃の温風で６０秒乾燥し、膜厚は０．１μｍにより作製した。露光処理は、このように光配向材料膜を作製した基材２を搬送速度１０ｍ／分で搬送し、１０００ｍＷ／ｃｍ２の偏光紫外線を使用して第１のマスク１６Ａにより１回目の露光処理を実行した。またこの１回目の露光処理と同一の条件により第１のマスク１６Ｂを使用して２回目の露光処理を実行した。
【００４４】
続いて位相差層作製用の塗布液を塗布した後、膜面温度８０℃で１分間加熱し、塗布した組成物の液晶材料を配向膜の配向規制力により配向させた状態で硬化させた。
【００４５】
〔第２実施形態〕
図７は、本発明の第２実施形態に係る露光工程の説明に供する図である。この露光工程では、第１及び第２の露光処理に供するマスク１６Ａ及び１６Ｂが、これら２つのマスク１６Ａ及び１６Ｂで共通する部材に作製される。
【００４６】
具体的に、この実施形態では、１枚のガラス基板に、クロム等の金属膜による遮光膜を作製してマスクが作製される。この実施形態では、このマスクにおけるロール１７に最も近接した個所から基材２の侵入側に、第１のマスク１６Ａに係るスリットが作製される。またこの最も接近した個所から基材２の搬出側に、第２のマスク１６Ｂに係るスリットが作製される。またこのマスク１６Ａ及び１６Ｂの構成に対応して、マスク１６Ａ側とマスク１６Ｂ側に入射する露光に供する紫外線Ｌ１及びＬ２については、充分に光学的に分離して他方の側に混入しないようにして、偏光方向が９０度異なる方向となるように設定される。
【００４７】
この実施形態では、第１及び第２の露光処理に供するマスク１６Ａ及び１６Ｂが、これら２つのマスク１６Ａ及び１６Ｂで共通する部材に作製されることにより、熱膨張による影響を第１及び第２のマスクで等しくすることができ、これにより熱による精度の劣化を防止することができる。
【００４８】
〔他の実施形態〕
以上、本発明の実施に好適な具体的な構成を詳述したが、本発明は、本発明の趣旨を逸脱しない範囲で、上述の実施形態を種々に組み合わせるようにし、また上述の実施形態の構成を種々に変更することができる。
【００４９】
すなわち上述の実施形態では、マスクの透過光がほぼ平行光であることを前提に、マスクのスリットを一部重なり合うようにする場合について述べたが、本発明はこれに限らず、要は２回の露光処理において、露光されるエリアが部分的に重なるように設定すれば良く、例えば発散光により露光処理する場合にあっては、この２回のマスクでスリットが重なり合わないようにしてもよい。
【００５０】
すなわち上述の第１及び第２実施形態では、帯状に右目用領域及び左目用領域を作製する場合について述べたが、本発明はこれに限らず、画素単位の千鳥配置により右目用領域及び左目用領域を設定する場合にも広く適用することができる。
【００５１】
また上述の実施形態では、ロール版により光学フィルムを生産する場合について述べたが、本発明はこれに限らず、平板により光学フィルムを生産する場合にも広く適用することができる。
【００５２】
また上述の実施形態では、液晶表示パネルの使用を前提とする場合について述べたが、本発明はこれに限らず、有機ＥＬパネル、プラズマディスプレイパネルの使用を前提とする場合にも広く適用することができ、また偏光フィルタを一体に設ける場合にも広く適用することができる。
【符号の説明】
【００５３】
１  パターン位相差フィルム
２  基材
３  配向膜
４  位相差層
１６Ａ、１６Ｂ  マスク
１７  ロール
【図１】
2014219596.tif 000003
【図２】
2014219596.tif 000004
【図３】
2014219596.tif 000005
【図４】
2014219596.tif 000006
【図５】
2014219596.tif 000007
【図６】
2014219596.tif 000008
【図７】
2014219596.tif 000009
【図８】
2014219596.tif 000010